【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
アバターを制御するコンピューター・システムにおいて、アバターのジェスチャー表示を制限する方法であって、
キャプチャー・デバイスを使って少なくとも１人のユーザーの動きを追跡するステップであって、これによりローカル・システムにおいて動きデーターを生成する、ステップと、
動き追跡データーから、前記アバターのジェスチャーを作る前記少なくとも１人のユーザーの前記動きが禁止ジェスチャーの組の内の１つであるか否か判断するステップと、
前記ジェスチャーを生成する前記動きデーターが、前記ローカル・システムに結合された前記ディスプレイにおいてローカルのアバターに対応する動きを有するリモート表示のアバターの生成を可能にするため、リモート・システムに送られるべきかどうか判断するステップと、
前記ジェスチャーが禁止ジェスチャーの組のものであることに応答して、かつ前記ジェスチャーを生成する前記動きデーターが送られるべき場合、前記リモートのアバターにおいて前記ジェスチャーをレンダリングすることを阻止するために、前記リモート表示のアバターのための前記ジェスチャーを表す前記リモート・システムに送られるべき動き追跡データーを変更するステップと、
前記ローカル・システムに結合されたディスプレイにおいて前記ローカルのアバターを前記禁止されたジェスチャーでレンダリングするステップと、
を含む、方法。
【請求項２】
請求項１記載の方法において、前記ジェスチャーが禁止ジェスチャーの組のものであることに応答して、前記ローカルのアバターにおいて前記ジェスチャーを表示する、方法。
【請求項３】
請求項１記載の方法において、前記アバターのジェスチャーを表す画像データーを変更するステップが、更に、前記禁止ジェスチャーをディスプレイ上において視覚的に隠すために、前記ジェスチャーを表す前記動きデーターに対してフィルタリング技法を実行することを含む、方法。
【請求項４】
請求項１記載の方法において、前記アバターのジェスチャーを表す画像データーを変更するステップが、更に、前記ジェスチャーについての動きデーターを、前記アバターについてのそれとは異なった動きデーターと置き換えることによって、前記禁止ジェスチャーを表す動きデーターを置換するステップを含む、方法。
【請求項５】
アバターのジェスチャー表示を制限するコンピューター実装システムであって、
ユーザーの生の動きを表す画像データーを取り込むローカルの深度画像キャプチャー・システムと、
前記画像キャプチャー・システムに通信可能に結合され、前記取り込まれた画像データーを受信する命令を実行する１つ以上の処理モジュールと、
前記１つ以上の処理モジュールによってアクセス可能であり、前記画像キャプチャー・システムから受け取った動き追跡データーを格納する１つ以上のメモリー・デバイスと、
を含み、
前記１つ以上の処理モジュールが、前記受け取った動き追跡データーに基づいて、ユーザーについての動き追跡データーを更新する命令を実行し、
前記１つ以上の処理モジュールが、前記処理モジュールに結合されたローカル・ディスプレイにおいてアバターをレンダリングする命令を実行し、前記アバターが前記ユーザーの生の動きを前記アバターの動きに追跡し、前記アバターが前記ユーザーと関連し、
前記１つ以上の処理モジュールが、禁止ジェスチャーの組を表す動きについて規準を定めるパラメーター・データーに基づいて前記禁止ジェスチャーの組に含まれるジェスチャーを含む前記ユーザーによる動きを前記動きデーターが含むか否か判断し、
前記１つ以上の処理モジュールが、前記リモート・システムに結合されたリモート・ディスプレイにおいてリモートのアバターの表示を可能にするために、前記動きデーターが前記リモート・システムに送られるべきか否か判断し、
前記ジェスチャーが前記禁止ジェスチャーの組のものであることに応答し、かつ前記動きデーターが送られるべき場合、前記１つ以上の処理モジュールが、表示のため前記アバターの前記ジェスチャーを表す動きデーターを変更し、変更後にリモート・ディスプレイに前記動きデーターを送り、
前記１つ以上の処理モジュールが、前記ローカル・ディスプレイにおいて前記アバターを前記禁止されたジェスチャーでレンダリングする、
システム。
【請求項６】
請求項５記載のシステムにおいて、前記１つ以上の処理モジュールが、更に、前記禁止ジェスチャーを前記リモート・ディスプレイ上において視覚的に隠すために、前記ジェスチャーを表す画像データーに対してフィルタリング技法を実行することによって、前記アバターのジェスチャーを表す画像データーを変更するロジックを含む、システム。
【請求項７】
請求項５記載のシステムにおいて、前記画像キャプチャー・システムが、前記ユーザーのオーディオ・データーを取り込むマイクロフォンを含み、前記１つ以上の処理モジュールが、更に、前記禁止ジェスチャーを行いながら前記ユーザーによって生成された音声データーを編集するロジックを含む、システム。
【請求項８】
コンピューター記憶デバイスであって、第１処理デバイスにおけるプロセッサーに、アバターのジェスチャー表示を制限する方法を実行させる命令がエンコードされたコンピューター記憶デバイスであって、前記方法が、
深度画像キャプチャー・デバイスを使って少なくとも第１のユーザーと第２のユーザーの動きを追跡するステップであって、これによりローカル・システムにおいて動き追跡データーを生成し、該動き追跡データーが、ローカル・ディスプレイにおける第１のアバターとリモート・ディスプレイにおける第２のアバターの生成を可能にする、ステップと、
前記第１のユーザーの前記第２のユーザーに対する前記動き追跡データーが、前記第１のアバターによる禁止ジェスチャーの組の内の１つの実行を生ずるか判断するステップと、
前記アバターの表現が、第２処理デバイスへの送信のための画像データーに変換されたか否か判断するステップと、
前記画像データーが第２の処理デバイスに送られるべき場合で、かつ前記ジェスチャーが前記禁止ジェスチャーの組内のものである場合、前記ジェスチャーについての動きデーターを、前記リモートのアバターについてのそれとは異なる動きデーターと置き換えるステップであって、前記異なった動きデーターを前記第２の処理デバイスに送って、前記リモート・ディスプレイにおける前記第２のアバターを前記禁止ジェスチャなしでレンダリングする一方、前記ローカル・システムに結合された前記ディスプレイにおいて前記ローカルのアバターを前記禁止ジェスチャーでレンダリングすることを可能にする、ステップと、
を含む、コンピューター記憶デバイス。
【請求項９】
請求項８記載のコンピューター記憶デバイスにおいて、前記追跡は、リアル・タイムで、前記ユーザーの画像データーから判断されたユーザーの動きを、前記アバターによる動きの表示するための画像データーに追跡することにより実行する、コンピューター記憶デバイス。
【請求項１０】
請求項８記載のコンピューター記憶デバイスにおいて、第２処理デバイスへの送信のための前記画像データーが、格納されたビデオ・ファイルを含み、更に、前記ビデオ・ファイルが送信されているという指示に応答して、前記格納されたビデオ・ファイルにおいて、前記リモートのアバターについての動き追跡データーを再生するステップを含む、コンピューター記憶デバイス。